(57)【特許請求の範囲】
【請求項１】
転写ヘッドにおいて反転させるようにした転写テープを巻回した供給リールと巻取リールを、両者における転写テープの増減に拘わりなく、円滑に相対回転しうるようにして枢支したカートリッジとケース本体を合体させてなる塗膜転写具において、カートリッジの外側より、巻取リールを枢支する筒状の保持軸内へ挿入した逆止ピンを、巻取リールと回転的に一体化させるとともに、この逆止ピンを、カートリッジに対して、巻締め方向に逆止めさせたことを特徴とする塗膜転写具。
【請求項２】
逆止ピンの先端外周に、ケース本体に枢支されている巻取リールの軸孔の内面に設けた抜止め突起と係止しうる外向爪を設けてなる請求項１記載の塗膜転写具。
【請求項３】
逆止ピンの外周面並びに巻取リールの軸孔の内周面に、互いに回転方向に係合しうる軸線方向の係止突条を設けてなる請求項１または２記載の塗膜転写具。
【請求項４】
カートリッジにおける巻取リールを枢支する筒状の保持軸の内周面に、円周方向の一定方向を向く鋸歯を設け、かつ係止ピンの外周面の対応する個所に、前記鋸歯と一定方向のみに係合しうる逆止爪を設けてなる請求項１〜３のいずれかに記載の塗膜転写具。
【発明の詳細な説明】
【０００１】
【発明の属する技術分野】
本発明は、転写ヘッドにおいて反転させるようにした転写テープを巻回した供給リールと巻取リールを、両者における転写テープの増減に拘わりなく、円滑に相対回転しうるようにして枢支したカートリッジとケース本体を合体させてなる塗膜転写具において、巻取リールの逆止機構に改良を加えたものに関する。
【０００２】
【従来の技術】
図８は、従来の代表的な塗膜転写具の斜視図、図９は、図８に示した塗膜転写具の分解斜視図である。
【０００３】
この塗膜転写具(01)は、カートリッジ(02)とケース本体(03)とを備えている。  カートリッジ(02)は、蓋体を兼ねるものであって、正面視がやや横長のほぼ楕円状で、前面が開口する扁平な無蓋器体(04)の横方向の一端に、窓孔としての切込孔(05)を設け、この切込孔(05)より転写ヘッド(06)を突設させるとともに、供給リール(07)と巻取リール(08)を、前記無蓋器体(04)内に横方向に並べて配設し、前記供給リール(07)に装着したコイル状の転写テープ(09)から繰出された転写テープを、前記転写ヘッド(06)の尖端(06a)で反転させて、前記巻取リール(08)に巻取らせるようにしてある。
【０００４】
ケース本体(03)は、正面視がカートリッジ(02)とほぼ同じ外郭形状で、それより僅かに大きく、かつ前面が開口する扁平な無蓋器体(010)の横方向の一端に、窓孔としての切込孔(011)を設け、かつ無蓋器体(010)内に、供給ギア(012)と巻取ギア(013)を、中間ギア(014)を介して横方向に並べて配設し、両ギア(012)(013)は、連動して同方向に回転するようになっている。
【０００５】
なお前記両切込孔(05)(011)は、後述するようにカートリッジ(02)と本体容器(03)を嵌合させた際、互いに整合するように、その位置および形状、寸法が定められている。
【０００６】
組立てて塗膜転写具(01)とするには、カートリッジ(02)とケース本体(03)の開口面同士を対向させて、供給ギア(012)の心軸(015)を供給リール(07)の中心の軸筒(016)に、また巻取ギア(013)の心軸(017)を巻取リール(08)の中心の軸筒(018)に、それぞれ嵌挿させるとともに、転写ヘッド(06)を、互いに整合するカートリッジ(02)の切込孔(05)とケース本体(03)の切込孔(011)とから突出させて、カートリッジ(02)とケース本体(03)を一体的に嵌合させる。
【０００７】
この塗膜転写具(01)においては、供給ギア(012)の心軸(015)を供給リール(07)の軸筒(016)に、また巻取ギア(013)の心軸(017)を巻取リール(08)の軸筒に、それぞれ嵌挿させてあるため、次のように作動する。
【０００８】
転写ヘッド(06)を紙面等に押圧しながら、図８における右方へ動かすと、転写テープ(09)は、転写ヘッド(06)の尖端(06a)を摺動して、供給リール(07)に装着されたコイル状の転写テープ(09)を回転させ、その回転は、供給リール(07)を経て、供給リール(07)の軸筒(016)に嵌挿されている心軸(015)を介して供給ギア(012)に伝わり、さらにこれと連動する巻取ギア(013)に伝わる。
【０００９】
次いで、この回転は、巻取ギア(013)の心軸(017)と、これが嵌挿されている軸筒(018)を介して、巻取リール(08)に伝わる。
【００１０】
それにより、供給リール(07)に装着されているコイル状の転写テープ(09)から繰り出された転写テープ(09)は、転写ヘッド(06)の尖端(06a)で反転した後、巻取リール(08)に巻き取られる。
【００１１】
詳しく述べると、当初、供給リール(07)に装着されているコイル状の転写テープ(09)の径は大きく、巻取リール(08)に巻取られたコイル状の転写テープ(09)の径は小さいが、使用とともに、漸次、供給リール(07)と巻取リール(08)におけるコイル状の転写テープ(09)の径の大きさは逆転する。
【００１２】
かかる径の変化に伴う供給リール(07)と巻取リール(08)との回転比の調節は、供給リール(07)の軸筒(016)と供給ギア(012)の心軸(015)との間、または巻取リール(08)の軸筒(018)と巻取ギア(013)の心軸(017)との間に、たとえば適宜のスプリングやリング状物などの抵抗部材を介在させ、前記心軸(015)(017)と軸筒(016)(018)が、それぞれ若干の抵抗をもって相対回転するようにすることによって行われている。
【００１３】
また、操作者が逆向き操作をすることができないようにするため、転写テープ(09)が巻取リール(08)から繰出すことがないようにし、かつ移送中等の動揺に起因して、巻取リール(08)上の転写テープ(09)が逆戻りしないようにするために、通常巻取リール(08)には、逆転防止機構が設けられている。
【００１４】
この巻取リール(08)の逆転を防止する手段としては、例えば特開平９−１０４５６３号公報に記載されているようなラチェット機構が採用されている。
【００１５】
すなわち、図８、図９においては、ケース本体(03)の内面に、巻取リール(013)を支持する心軸(017)と一体をなす巻取ギア(013)と同心をなす逆転防止用の環状鋸歯(019)を設けるとともに、巻取ギア(013)の適所より、環状鋸歯(019)の方へ向かう弾性ある板状の爪片(020)を設け、この爪片(020)を環状鋸歯(019)に逆止的に係止させてある。
【００１６】
【発明が解決しようとする課題】
しかし、上述した従来の逆転防止手段においては、使用に伴い、環状鋸歯(019)が摩耗したり、板状である爪片(020)が摩耗もしくは折損等したりして、機能が不全となった場合には、ケース本体(03)からカートリッジ(02)を取外して、環状鋸歯(019)と一体をなすケース本体(03)、もしくは爪片(020)を備える巻取ギア(013)を、新規なものと交換して、再組立しなければならない。
【００１７】
このような作業は、面倒であるとともに、微妙な注意を要し、かつ各部品が散逸したり移動したりするため、ユーザーにとっては決して容易なものではない。
【００１８】
そこで本発明は、塗膜転写具における係止爪と逆止用の歯とからなるテープ巻取リールの逆転防止機構において、その係合を強固かつ確実とするとともに、万一、係止爪が破損もしくは変形して機能が不全となった際には、係止爪を備える部材のみを、簡単な作業で、容易に新規なものと交換しうるようにすることを目的とするものである。
【００１９】
【課題を解決するための手段】
本発明によると、上記目的は次のようにして達成される。
（１）転写ヘッドにおいて反転させるようにした転写テープを巻回した供給リールと巻取リールを、両者における転写テープの増減に拘わりなく、円滑に相対回転しうるようにして枢支したカートリッジとケース本体を合体させてなる塗膜転写具において、カートリッジの外側より、巻取リールを枢支する筒状の保持軸内へ挿入した逆止ピンを、巻取リールと回転的に一体化させるとともにこの逆止ピンを、カートリッジに対して、巻締め方向に逆止めする。
【００２０】
（２）前項において、  逆止ピンの先端外周に、ケース本体に枢支されている巻取リールの軸孔の内面に設けた抜止め突起と係止しうる外向爪を設ける。
【００２１】
（３）上記(１)または(２)項において、逆止ピンの外周面並びに巻取リールの軸孔の内周面に、互いに回転方向に係合しうる軸線方向の係止突条を設ける。
【００２２】
（４）上記(１)〜(３)項のいずれかにおいて、カートリッジにおける巻取リールを枢支する筒状の保持軸の内周面に、円周方向の一定方向を向く鋸歯を設け、かつ係止ピンの外周面の対応する個所に、前記鋸歯と一定方向のみに係合しうる逆止爪を設ける。
【００２３】
【発明の実施の形態】
図１〜図７は、本発明の一実施形態を示す。
この実施形態は、巻取リールの逆転防止機構を除く基本的部分においては、図８および図９に示した従来のものと基本的には異なるところはないので、図８および図９に示されている各部材と同様の部材には、それらに付してある符号の冒頭の「０」を除いた符号を付して、その説明を省略する。
【００２４】
この実施形態においては、供給ギア(12)は中心に軸筒(15)を有し、この軸筒(15)は、ケース本体(３)の無蓋器体(４)の内面のやや左寄りに突設した筒状支軸(16)に回転可能に嵌合されている。
【００２５】
前記軸筒(15)には中間筒(17)が嵌合され、中間筒(17)には、供給リール(７)が嵌合支持され、かつ中間筒(17)の外端は、カートリッジ(２)の無蓋器体(10)の内面に突設した支軸(18)に枢支されている。
【００２６】
巻取リール(８)の軸孔(8a)の先端部は、ケース本体(３)における無蓋器体(４)の内面のやや右寄りの突設した筒状短軸(19)に嵌合され、同じく外端部は、カートリッジ(２)の無蓋器体(10)の内面に突設した保持軸(20)に嵌合支持されている。
【００２７】
中間ギア(14)は、筒状支軸(16)と保持軸(20)との間において、無蓋器体(４)の内面に突設された取付軸(21)に嵌合され、供給ギア(12)と巻取ギア(13)とに噛合している。
【００２８】
なお、供給リール(７)は、前記支軸(16)(18)に対して若干の抵抗をもって回転するようになっていることは、従来のものと同様であり、その具体的構成は、本発明と直接の関係はないので、その説明は省略する。
【００２９】
次に、本発明の特徴とする巻取リール(８)の逆転防止機構について説明する。
本発明においては、従来のもののように、上記逆転防止機構を、例えば巻取ギア(013)より突設した板状の爪片(020)と、ケース本体(03)に設けた環状鋸歯(019)からなるものとする代わりに、巻取ギアの内面に設けた逆止歯と、ケース本体への挿入抜去自在とした逆止ピンとからなるものとすることにより、前述した従来のものの問題点の解決を図っている。
【００３０】
すなわち、ケース本体(３)における筒状短軸(19)に、巻取リール(８)の先端部を回転可能に嵌合し、ケース本体(３)にカートリッジ(２)を嵌合して、適宜ビス等で結合することによって、カートリッジ(２)における保持軸(20)を、筒状短軸(19)の先端面と同心的に対向させる。
【００３１】
ついで、カートリッジ(２)に保持軸(20)と同心的に設けた段孔(22)より逆止ピン(23)を挿入して、その拡径頭部(24)を段孔(22)に係止させるとともに、逆止ピン(23)の先端における外向爪(25)を、巻取リール(８)の軸孔(8a)の内面に設けた抜止め突起(26)の下面に係合させる。
これにより、巻取リール(８)は、逆止ピン(23)を介して、カートリッジ(２)に抜止め保持される。
【００３２】
しかしてこの際、逆止ピン(23)の外周面の要所に設けた軸線方向の係止突条(27)は、巻取リール(８)の内面に設けた軸線方向の係止突条(28)に係合して両者は回転的に一体化され、かつ逆止ピン(23)の外周面の首部に設けた、径方向に突出し、かつ円周方向の一方向を向く逆止爪(29)は、カートリッジ(２)の保持軸(20)の内面全周に亘って設けた筒状鋸歯(30)の一つと噛合して、逆止ピン(23)は逆転不能に保持される。
【００３３】
従って、逆止ピン(23)を介して、巻取リール(８)は、カートリッジ(２)およびケース本体(３)に対して逆回転不能に保持され、前に述べた所期の目的を達成することができる。
【００３４】
【発明の効果】
念のために、各請求項に記載の発明の具体的内容および構成、並びにその効果を列記すると、次の通りである。
請求項１記載の発明：カートリッジとケース本体を合体させた後、あるいは両者を合体させつつ、カートリッジに設けた段孔より逆止ピンを挿入することにより、その先端を、ケース本体内に枢支した巻取リールに、抜け外れ不能に係合させるとともに、例えば逆止ピンおよび巻取リールの軸孔に設けた軸線方向の係止突条を係止させることにより、係止ピンと巻取リールを回転的に一体化させるから、塗膜転写具に対する逆転防止機構の組込みを簡単に行うことができる。
【００３５】
請求項２記載の発明：逆止ピンの先端に、外向爪を設け、逆止ピンをカートリッジの外側からケース本体へ向かって挿入すると、前記外向爪は、ケース本体に枢支されている巻取リールの軸孔の内面に設けた抜止め突起と自動的に係合して、カートリッジとケース本体は、組合せ状態で保持されるとともに、巻取リールの先端側も逆止ピンにより、強固かつ安定よく支持される。
【００３６】
請求項３記載の発明：逆止ピンの外周面並びに巻取リールの軸孔の内周面に、互いに円周方向に係合しうる軸線方向の係止突条を設けてあるから、前者を後者へ挿入するのみで、両者は回転的に一体化されることとなり、組立および分解作業が簡単となる。
【００３７】
請求項４記載の発明：逆止のための一定方向を向く係止用鋸歯を、保持軸の内周面に、同じく逆止爪を、係止ピンの外周面に設けてあるため、図８、図９に示した従来の折曲げ片の先端からなる係止爪と環状鋸歯からなるものに比して、両者の接触面積は著しく大となり、両者の係合は強固かつ確実なものとなるとともに、その耐久性は大となり、破損のおそれも小となる。
【図面の簡単な説明】
【図１】  本発明の一実施形態を示す外観斜視図である。
【図２】  図１に示すもののカートリッジとケース本体を分離して示す斜視図である。
【図３】  図２に示すカートリッジとケース本体を分解して示す斜視図である。
【図４】  図１におけるIV−IV線縦断面図である。
【図５】  図４における要部拡大図である。
【図６】  図５におけるVI−VI線横断面図である。
【図７】  上記各図における係止ピンの斜視図である。
【図８】  従来の塗膜転写具を例示する斜視図である。
【図９】  図８におけるカートリッジとケース本体を分離して示す斜視図である。
【符号の説明】
(１)塗膜転写具
(２)カートリッジ
(３)ケース本体
(４)無蓋器体
(５)切込孔
(６)転写ヘッド
(6a)尖端
(７)供給リール
(８)巻取リール
(8a)軸孔
(９)転写テープ
(10)無蓋器体
(11)切込孔
(12)供給ギア
(13)巻取ギア
(14)中間ギア
(15)軸筒
(16)筒状支軸
(17)中間筒
(18)支軸
(19)筒状短軸
(20)保持軸
(21)取付軸
(22)段孔
(23)逆止ピン
(24)拡径頭部
(25)外向爪
(26)抜止め突起
(27)(28)係止突条
(29)逆止爪
(30)筒状鋸歯
【図１】
0004615781.tif 000002
【図２】
0004615781.tif 000003
【図３】
0004615781.tif 000004
【図４】
0004615781.tif 000005
【図５】
0004615781.tif 000006
【図６】
0004615781.tif 000007
【図７】
0004615781.tif 000008
【図８】
0004615781.tif 000009
【図９】
0004615781.tif 000010